(57)【要約】【課題】スクリーン部に表示される画像の視認性を向上させる。【解決手段】表示装置１００であって、制御部１１は、スクリーン部に表示される画像の閲覧者の位置を検出する。また、制御部１１は、検出された閲覧者の位置に基づいて、当該閲覧者の視線がスクリーン部により画像を遮られるか否かを判断する。また、制御部１１は、閲覧者の視線がスクリーン部により遮られるか否かの判断結果に基づいて、スクリーン部における画像の表示を制御する。【選択図】図１
2016090709.tif 000002
【特許請求の範囲】
【請求項１】
スクリーン部に表示される画像の閲覧者の位置を検出する検出手段と、
前記検出手段によって検出された前記閲覧者の位置に基づいて、当該閲覧者の視線が前記スクリーン部により前記画像を遮られるか否かを判断する判断手段と、
前記判断手段による判断結果に基づいて、前記スクリーン部における画像の表示を制御する表示制御手段と、
を備えたことを特徴とする表示装置。
【請求項２】
前記スクリーン部は、平板状に形成され、画像の表示領域をなす平板部と、前記平板部よりも前記閲覧者側に突出するように立体的に形成された立体部とを有し、
前記判断手段は、前記検出手段によって検出された前記閲覧者の位置に基づいて、当該閲覧者の前記平板部に表示される画像を閲覧する際の視線が前記立体部により遮られるか否かを判断することを特徴とする請求項１に記載の表示装置。
【請求項３】
前記表示制御手段は、更に、
前記判断手段によって前記閲覧者の前記平板部に表示される画像を閲覧する際の視線が前記立体部により遮られると判断された場合に、前記立体部の前記閲覧者側に露出された部分を画像の表示領域とするように制御することを特徴とする請求項２に記載の表示装置。
【請求項４】
前記スクリーン部は、前記平板部を所定方向に挟むように二つの前記立体部が配置されてなり、
前記表示制御手段は、更に、
前記判断手段によって前記閲覧者の前記平板部に表示される画像を閲覧する際の視線が一方の前記立体部により遮られると判断された場合に、他方の前記立体部の前記閲覧者側に露出された部分を画像の表示領域とするように制御することを特徴とする請求項３に記載の表示装置。
【請求項５】
前記表示制御手段は、更に、
前記判断手段によって前記閲覧者の前記平板部に表示される画像を閲覧する際の視線が前記立体部により遮られると判断された場合に、前記平板部における前記閲覧者の視線が前記立体部により遮られない位置に画像の表示領域を移動させるように制御することを特徴とする請求項２に記載の表示装置。
【請求項６】
前記表示制御手段は、更に、
前記判断手段によって前記閲覧者の前記平板部に表示される画像を閲覧する際の視線が前記立体部により遮られると判断された場合に、前記平板部における画像の表示領域の寸法を前記閲覧者の視線が前記立体部により遮られないように縮小させる制御を行うことを特徴とする請求項５に記載の表示装置。
【請求項７】
スクリーン部に表示される画像の閲覧者の位置を検出する工程と、
検出された前記閲覧者の位置に基づいて、当該閲覧者の視線が前記スクリーン部により前記画像を遮られるか否かを判断する工程と、
閲覧者の視線が前記スクリーン部により遮られるか否かの判断結果に基づいて、前記スクリーン部における画像の表示を制御する工程と、
を含むことを特徴とする表示方法。
【請求項８】
コンピュータを、
スクリーン部に表示される画像の閲覧者の位置を検出する検出手段、
前記検出手段によって検出された前記閲覧者の位置に基づいて、当該閲覧者の視線が前記スクリーン部により前記画像を遮られるか否かを判断する判断手段、
前記判断手段による判断結果に基づいて、前記スクリーン部における画像の表示を制御する表示制御手段、
として機能させることを特徴とするプログラム。
【発明の詳細な説明】
【技術分野】
【０００１】
本発明は、表示装置、表示方法及びプログラムに関する。
【背景技術】
【０００２】
従来、映像供給装置に接続される映像出力装置と、反射部材と、スクリーンとを有し、映像出力装置からコンテンツを投影する出力光を反射部材によって反射し、この反射部材によって反射された出力光を当該コンテンツの輪郭の形状に形成されたスクリーンに投影することにより、閲覧者に対して印象を高めることができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
ところで、立体的に形成されたスクリーンに画像を投影することで、より現実味のある印象を閲覧者に与えることができると考えられるが、スクリーンの立体的形状及びスクリーンに対する閲覧者の位置関係により視認性が低下してしまう虞もあり、結果として、商品説明等での広告効果が低下してしまうといった問題がある。
【０００５】
本発明の課題は、スクリーン部に表示される画像の視認性を向上させることである。
【課題を解決するための手段】
【０００６】
上記課題を解決するため、本発明に係る表示装置は、
スクリーン部に表示される画像の閲覧者の位置を検出する検出手段と、
前記検出手段によって検出された前記閲覧者の位置に基づいて、当該閲覧者の視線が前記スクリーン部により前記画像を遮られるか否かを判断する判断手段と、
前記判断手段による判断結果に基づいて、前記スクリーン部における画像の表示を制御する表示制御手段と、
を備える。
【発明の効果】
【０００７】
本発明によれば、スクリーン部に表示される画像の視認性を向上させることができる。
【図面の簡単な説明】
【０００８】
【図１】本発明を適用した一実施形態の表示装置の機能的構成を示すブロック図である。
【図２】図１の表示装置を斜め上方から視て示した斜視図である。
【図３】図１の表示装置のスクリーン部の平面図である。
【図４】図１の表示装置に記憶されている表示制御テーブルを説明するための図である。
【図５】目の位置及び目間距離を説明するための図である。
【図６】図１の表示装置による表示処理に係る動作の一例を示すフローチャートである。
【図７】図６の表示処理における表示態様の一例を模式的に示す図である。
【図８】図６の表示処理における表示態様の一例を模式的に示す図である。
【図９】変形例の表示装置による表示処理における表示態様の一例を模式的に示す図である。
【発明を実施するための形態】
【０００９】
以下に、本発明について、図面を用いて具体的な態様を説明する。ただし、発明の範囲は、図示例に限定されない。
図１は、本発明を適用した一実施形態の表示装置１００の機能的構成を示すブロック図である。また、図２は、表示装置１００を斜め上方から視て示した斜視図である。
なお、以下の説明では、表示装置１００の第１画像Ｐ１や第２画像Ｐ２（図７（ａ）等参照）が表示される側を前側とし、前後方向に直交する一の方向を左右方向とし、前後方向及び左右方向に直交する方向を上下方向とする。また、表示装置１００の左右方向は、第１画像Ｐ１や第２画像Ｐ２の閲覧者側から視て左右となる方向である。
【００１０】
＜表示装置の構成＞
本実施形態の表示装置１００は、例えば、店舗で取り扱っている商品に係るコンテンツを出力する装置であり、図１及び図２に示すように、コンテンツの映像光を照射する投影部１と、投影部１から照射された映像光を背面で受けて前面に投影するスクリーン部２と、これら投影部１及びスクリーン部２が搭載された台座３とを備えている。
なお、本実施形態では、スクリーン部２に映し出される画像により何等かの説明や案内を行うコンテンツを再生するのに適したものとして、スクリーン部２の左右の立体部２１２Ｌ、２１２Ｒの形状をヒト型とした場合（図２参照）を例示して説明する。
【００１１】
まず、投影部１について説明する。
投影部１は、制御部１１と、プロジェクタ１２と、記憶部１３と、通信部１４とを備えている。プロジェクタ１２、記憶部１３、通信部１４は、図１に示すように制御部１１に接続されている。
【００１２】
制御部１１は、記憶部１３のプログラム記憶部１３１に記憶されている各種のプログラムを実行して所定の演算や各部の制御を行うＣＰＵとプログラム実行時の作業領域となるメモリとを備えている（いずれも図示略）。制御部１１は、プログラムとの協働により、後述する表示処理を始めとする各種処理を実行し、検出手段、判断手段、表示制御手段として機能する。
【００１３】
プロジェクタ１２は、制御部１１から出力された画像データを映像光に変換してスクリーン部２に向けて照射する投影装置である。プロジェクタ１２は、例えば、アレイ状に配列された複数個（例えば、ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００１４】
記憶部１３は、ＨＤＤ（Hard Disk Drive）や不揮発性の半導体メモリ等により構成される。記憶部１３には、図１に示すように、プログラム記憶部１３１と、コンテンツ記憶部１３２と、スクリーン情報記憶部１３３と、テーブル記憶部１３４とが設けられている。
【００１５】
プログラム記憶部１３１には、制御部１１で実行されるシステムプログラムや、表示処理を始めとする各種処理を実行するための処理プログラム、これらのプログラムの実行に必要なデータ等が記憶されている。
【００１６】
コンテンツ記憶部１３２には、コンテンツの識別情報に対応付けて、表示装置１００で再生されるコンテンツのデータが記憶されている。コンテンツデータは、例えば、複数のフレーム画像により構成される動画データ及び各フレーム画像に対応する音声データにより構成されている。
【００１７】
動画データは、スクリーン部２の左右の立体部２１２Ｌ、２１２Ｒに表示される第１画像Ｐ１の画像データと、主としてスクリーン部２の平板部２１１に表示される第２画像Ｐ２（図７（ａ）等参照）の画像データとを含んでいる。
第１画像Ｐ１は、例えば、スクリーン部２と対応付けられ、当該スクリーン部２の左右の立体部２１２Ｌ、２１２Ｒの立体的形状にそれぞれ対応させた画像である。具体的には、第１画像Ｐ１は、ヒトを模した画像を含んでいる。また、第１画像Ｐ１は、複数のフレーム画像から構成され、複数のフレーム画像が所定の再生フレームレートで再生されることによって、ヒトの顔の動き（例えば、リップシンク等）が表現される。
第２画像Ｐ２は、如何なる画像であっても良く、例えば、表示装置１００を店舗で取り扱っている商品の説明や案内に利用する場合、商品の説明や案内を表すテキスト画像（例えば、「ＡＢＣＤＥ」；図７（ａ）等参照）、商品を模した画像、商品の説明や案内を行うヒトを模した画像等が挙げられる。
【００１８】
スクリーン情報記憶部１３３には、台座３に装着されているスクリーン部２を識別するための識別データが記憶されている。すなわち、スクリーン部２は、例えば、左右の立体部２１２Ｌ、２１２Ｒの有無やそれぞれの形状及び大きさ、平板部２１１の形状及び大きさ等により各種様々なものがあり、それらを識別するために識別データが記憶されている。
【００１９】
テーブル記憶部１３４には、表示制御テーブル１３４ａ（図４参照）が記憶されている。表示制御テーブル１３４ａは、後述する表示処理において、台座３に装着されているスクリーン部２に対する閲覧者の位置関係に基づいて、スクリーン部２における第２画像Ｐ２の表示を制御するために用いられるテーブルである。
例えば、図３に示すように、閲覧者が左の立体部２１２Ｌ側から平板部２１１に表示される第２画像Ｐ２を視る場合、当該閲覧者の視線がスクリーン部２の左の立体部２１２Ｌにより遮られ、左の立体部２１２Ｌの影になる箇所（図中、矢印Ｂで示した箇所）に表示される第２画像Ｐ２を閲覧できない虞がある。すなわち、スクリーン部２の左右の立体部２１２Ｌ、２１２Ｒの形状やスクリーン部２に対する閲覧者の位置関係によって、閲覧者が平板部２１１に表示される第２画像Ｐ２を閲覧できない状況が生じてしまう。
【００２０】
図４に、表示制御テーブル１３４ａのデータ格納例を示す。
表示制御テーブル１３４ａは、台座３に装着可能なスクリーン部２毎に設けられ、閲覧者の位置を示す情報と、表示制御の内容とが対応付けて格納されている。
【００２１】
閲覧者の位置を示す情報としては、例えば、撮像部３３により撮像された画像における閲覧者の目の位置座標（x, y）を表す目の位置Ｘ及び目の位置Ｙ、左右の目の距離を表す目間距離Ｄ等が挙げられる。
【００２２】
ここで、図５を参照して、目の位置Ｘ、目の位置Ｙ及び目間距離Ｄについて説明する。
図５においては、一例として、撮像部３３により得られる画像が６４０×４８０画素である場合を示している。図５に示すように、撮像部３３により取得された画像の座標の左上をｘ＝０、ｙ＝０、右下をｘ＝６３９、ｙ＝４７９と定義する。
目の位置Ｘは、画像から認識された閲覧者の２つの目（例えば、目の中心）のｘ座標の平均であり、０〜６３９の範囲の値をとる。同様に、目の位置Ｙは、画像から認識された閲覧者の２つの目のｙ座標の平均であり、０〜４７９の範囲の値をとる。
また、目間距離Ｄは、画像から認識された閲覧者の２つの目の距離であり、０〜３２０の範囲の値をとる。
【００２３】
目の位置Ｘ及び目の位置Ｙにより、閲覧者の位置のおおよその方向を特定することができる。また、目間距離Ｄにより、閲覧者の位置の表示装置１００からのおおよその距離を特定することができる。閲覧者が表示装置１００から離れているほど目間距離Ｄは小さくなり、閲覧者が表示装置１００から近いほど目間距離Ｄは大きくなる。
【００２４】
表示制御の内容としては、例えば、左右の立体部２１２Ｌ、２１２のうち、第１画像Ｐ１が消去される立体部（第１画像Ｐ１の表示態様）、平板部２１１の第２画像Ｐ２の表示領域Ａ１（図７（ａ）参照）を移動させる際の移動の内容、平板部２１１の第２画像Ｐ２の表示領域Ａ１の縮小率等が挙げられる。
第２画像Ｐ２の表示領域Ａ１の移動の内容は、例えば、左側を負とし、右側を正とした場合の画素数で表され、−１００〜１００の範囲の値をとる。
第２画像Ｐ２の表示領域Ａ１の縮小率は、デフォルトとして設定されている表示領域Ａ１の大きさを１００％とし、それを基準として縮小後の表示領域（例えば、表示領域Ａ５；図８（ｂ）参照）の大きさが相対的に表され、１００％〜５０％の範囲の値をとる。
【００２５】
なお、上記した表示制御テーブル１３４ａの内容は、例えば、予め実験等により経験的に得られた結果であるが、一例であってこれに限られるものではなく、適宜任意に変更可能である。
【００２６】
通信部１４は、例えば、モデム、ルータ、ネットワークカード等（いずれも図示略）により構成され、通信ネットワークに接続された外部機器（図示略）との通信を行う。
【００２７】
次に、スクリーン部２について説明する。
図３は、表示装置１００のスクリーン部２の平面図である。
図３に示すように、スクリーン部２は、例えばアクリル板などから形成された拡散透過部２１と、拡散透過部２１の背面側に配置されたフレネルレンズ２２とを備えている。
【００２８】
拡散透過部２１は、平板状に形成された平板部２１１と、閲覧者の方に向けて凸となるように立体的に形成された左右の立体部２１２Ｌ、２１２Ｒとを備えている。
【００２９】
平板部２１１は、各種情報が表示される掲示部であるため、視認性を確保すべく平板状に形成されている。この平板部２１１は、主として第２画像Ｐ２の表示領域Ａ１（図７（ａ）等参照）を構成している。
【００３０】
左右の立体部２１２Ｌ、２１２Ｒは、平板部２１１に隣接し、当該平板部２１１を左右方向（所定方向）に挟むように配置されている。
また、左右の立体部２１２Ｌ、２１２Ｒは、それぞれヒトの外見をなす投影光が投影される部分である。すなわち、左右の立体部２１２Ｌ、２１２Ｒは、例えば、女性の上半身を模したヒト型に形成され、平板部２１１よりも閲覧者側に突出するような立体的形状をなしている。また、左右の立体部２１２Ｌ、２１２Ｒは、背面側（フレネルレンズ２２側）が開放された中空形状をなしている。
なお、図２にあっては、左右の立体部２１２Ｌ、２１２Ｒに、投影部１から投影されたヒト（例えば、女性）を模した第１画像Ｐ１が表示された状態を表している。
【００３１】
フレネルレンズ２２は、板状に形成されていて、拡散透過部２１の背面側全体を覆うようになっている。具体的には、光出射側であるフレネルレンズ２２の拡散透過部２１側は、鋸歯状の断面形状となっており、一方、フレネルレンズ２２の投影部１側は平面状になっている（図示略）。そして、フレネルレンズ２２は、投影部１から投影された投影光を所定の角度で屈折させるとともに、全体として平行光に変換する。
ここで、閲覧者は、スクリーン部２に正対して当該スクリーン部２上の映像を閲覧するために、その正対位置から正確に映像が視認できるようにすることが望まれる。このため、フレネルレンズ２２は、閲覧者の正対位置に対して略直交する平行光になるように投影光を変換する構成に形成されている。
【００３２】
なお、フレネルレンズ２２の形状はこの構造に限られず、例えば、上記の構造とは反対に、フレネルレンズ２２の拡散透過部２１側が平面状に、且つ、フレネルレンズ２２の投影部１側が鋸歯状の断面形状となっていても良い。或いは、フレネルレンズ２２の両面側が、ともに鋸歯状の断面形状となっていても良い。
また、閲覧者は、一般的にスクリーン部２より高い視点からスクリーン部２を見る場合が多いことから、このときの閲覧者の視線の方向（例えば、スクリーン部２と略直交する方向に対して上向きに１０°）と平行になるように投影光をフレネルレンズ２２により変換する構成としても良い。
【００３３】
次に、台座３について説明する。
台座３は、その上方にスクリーン部２が着脱自在に搭載されている。また、台座３には、操作部３１と、音声出力部３２と、撮像部３３とが設けられている。
【００３４】
操作部３１は、複数の操作ボタンを備え、操作ボタンの押下信号を検出して制御部１１に出力する。各操作ボタンには、その操作ボタンを押下することにより実行される処理やその操作ボタンを押下することによるコンテンツの切り替え先等を案内する案内部３１ａ（図２参照）がそれぞれ対応付けられている。
【００３５】
音声出力部３２は、音声を出力するスピーカなどを備えて構成されている。
【００３６】
撮像部３３は、スクリーン部２に対向する空間の画像を撮影して撮影画像を生成する。撮像部３３は、図示は省略するが、光学系及び撮像素子を備えるカメラと、カメラを制御する撮像制御部とを備えている。
カメラの光学系は、スクリーン部２の前にいるヒトを撮影可能な方向に向けられている。また、その撮像素子は、例えば、ＣＣＤ（Charge Coupled Device）やＣＭＯＳ（Complementary Metal-oxide Semiconductor）等のイメージセンサである。そして、撮像素子は、光学系を通過した光学像を２次元の画像信号に変換する。
【００３７】
操作部３１、音声出力部３２、撮像部３３は、図１に示すように制御部１１に接続されている。
【００３８】
＜表示装置の動作＞
次に、本実施形態の表示装置１００の動作について説明する。
【００３９】
表示装置１００の制御部１１は、検出手段として、スクリーン部２に表示される第１画像Ｐ１や第２画像Ｐ２の閲覧者の位置を検出する。すなわち、制御部１１は、撮像部３３により取得された画像内から、閲覧者の顔の目の位置Ｘ及び目の位置Ｙ並びに目間距離Ｄを取得して、閲覧者の位置を検出する。
具体的に、制御部１１は、例えば、撮像部３３により撮像を行わせて画像を取得し、取得された画像に対して顔認識処理を行う。そして、制御部１１は、画像から顔が認識された場合に、閲覧者が検出されたと判断する。続けて、制御部１１は、画像における顔領域から目を抽出し、左右２つの目の位置の平均を算出し、目の位置Ｘ及び目の位置Ｙとして取得する。また、制御部１１は、左右２つの目の中心の距離を測定して、目間距離Ｄとして取得する。
なお、顔認識処理は、公知の技術であるので、ここでは詳細な説明を省略する。
【００４０】
また、制御部１１は、判断手段として、検出された閲覧者の位置に基づいて、当該閲覧者の視線がスクリーン部２により遮られるか否かを判断する。具体的には、制御部１１は、検出された閲覧者の位置に基づいて、当該閲覧者の平板部２１１に表示される第２画像Ｐ２を閲覧する際の視線が左右の立体部２１２Ｌ、２１２Ｒにより遮られるか否かを判断する。
例えば、制御部１１は、スクリーン情報記憶部１３３から識別データを読み出して取得し、テーブル記憶部１３４から識別データにより識別されるスクリーン部２に対応する表示制御テーブル１３４ａを読み出して取得する。そして、制御部１１は、表示制御テーブル１３４ａを参照して、検出済みの閲覧者の顔の目の位置Ｘ及び目の位置Ｙ並びに目間距離Ｄに基づいて、当該閲覧者の第２画像Ｐ２を閲覧する際の視線が左右の立体部２１２Ｌ、２１２Ｒにより遮られるか否かを判断する。
【００４１】
また、制御部１１は、表示制御手段として、スクリーン部２により閲覧者の視線の先の画像が遮られるか否かの判断結果に基づいて、当該スクリーン部２における第１画像Ｐ１や第２画像Ｐ２の表示を制御する。すなわち、制御部１１は、例えば、表示制御テーブル１３４ａを参照して、検出済みの閲覧者の顔の目の位置Ｘ及び目の位置Ｙ並びに目間距離Ｄと対応付けられているスクリーン部２における表示制御の内容を取得して、第１画像Ｐ１や第２画像Ｐ２の表示を制御する。
【００４２】
具体的には、制御部１１は、閲覧者の平板部２１１に表示される第２画像Ｐ２を閲覧する際の視線が左右の立体部２１２Ｌ、２１２Ｒにより遮られると判断された場合に、左右の立体部２１２Ｌ、２１２Ｒの閲覧者側に露出された部分を第２画像Ｐ２の表示領域とするように制御する。すなわち、制御部１１は、左右の立体部２１２Ｌ、２１２Ｒのうち、一方の立体部（例えば、左の立体部２１２Ｌ等）により閲覧者の視線が遮られると判断された場合に、他方の立体部（例えば、右の立体部２１２Ｒ）の閲覧者側に露出された部分（例えば、向かって左半身に対応する部分）に表示される第１画像Ｐ１を消去して、第２画像Ｐ２の表示領域（例えば、表示領域Ａ２、Ａ３等）とするように制御する（図７（ａ）〜図７（ｃ）参照）。
ここで、図７（ａ）には、左右の立体部２１２Ｌ、２１２Ｒにより閲覧者の視線が遮られない場合におけるスクリーン部２の表示を模式的に表している。この状態では、平板部２１１を構成する全ての画素（例えば、１２８０×７２０画素等）のうち、上下左右の縁部から所定数の画素（例えば、１００画素等）を使わずに第２画像Ｐ２の表示領域Ａ１を構成している。
また、図７（ｂ）には、閲覧者が左の立体部２１２Ｌ側から第２画像Ｐ２を視る際に、左の立体部２１２Ｌにより閲覧者の視線が遮られる場合におけるスクリーン部２の表示を模式的に表している。この状態では、図７（ａ）における第２画像Ｐ２の表示領域Ａ１に、平板部２１１の右縁部の所定数の画素と右の立体部２１２Ｒの左半身に対応する部分を加えた領域が第２画像Ｐ２の表示領域Ａ２となる。
また、図７（ｃ）には、閲覧者が右の立体部２１２Ｒ側から第２画像Ｐ２を視る際に、右の立体部２１２Ｒにより閲覧者の視線が遮られる場合におけるスクリーン部２の表示を模式的に表している。この状態では、図７（ａ）における第２画像Ｐ２の表示領域Ａ１に、平板部２１１の左縁部の所定数の画素と左の立体部２１２Ｌの右半身に対応する部分を加えた領域が第２画像Ｐ２の表示領域Ａ３となる。
なお、上記した左右の立体部２１２Ｌ、２１２Ｒにて、第１画像Ｐ１を消去する領域、すなわち、第２画像Ｐ２の表示領域Ａ２、Ａ３として設定される領域は、一例であってこれに限られるものではなく、適宜任意に変更可能である。
【００４３】
また、制御部１１は、閲覧者の平板部２１１に表示される第２画像Ｐ２を閲覧する際の視線が左右の立体部２１２Ｌ、２１２Ｒにより遮られると判断された場合に、平板部２１１における閲覧者の視線が左右の立体部２１２Ｌ、２１２Ｒにより遮られない位置に第２画像Ｐ２の表示領域Ａ４を移動させるように制御する。すなわち、制御部１１は、例えば、左右の立体部２１２Ｌ、２１２Ｒのうち、一方の立体部（例えば、左の立体部２１２Ｌ等）により閲覧者の視線が遮られると判断された場合に、表示制御テーブル１３４ａを参照して、他方の立体部（例えば、右の立体部２１２Ｒ）側に第２画像Ｐ２の表示領域Ａ４を所定画素数分（例えば、５０画素分等）移動させるように制御する（図８（ａ）参照）。
このとき、制御部１１は、平板部２１１における第２画像Ｐ２の表示領域Ａ５の寸法を閲覧者の視線が左右の立体部２１２Ｌ、２１２Ｒにより遮られないように縮小させる制御を行っても良い。すなわち、例えば、他方の立体部（例えば、右の立体部２１２Ｒ）側に第２画像Ｐ２の表示領域Ａ４を最大限（例えば、１００画素分等）移動させても、一方の立体部（例えば、左の立体部２１２Ｌ等）により閲覧者の視線が遮られる場合、制御部１１は、第２画像Ｐ２の表示領域Ａ５の一方の立体部（例えば、左の立体部２１２Ｌ等）側の端部を一方の立体部（例えば、左の立体部２１２Ｌ等）から離間させるように第２画像Ｐ２の表示領域Ａ５の縦横の寸法を縮小させる（図８（ｂ）参照）。
なお、図８（ａ）及び図８（ｂ）には、閲覧者が左の立体部２１２Ｌ側から第２画像Ｐ２を視る際に、左の立体部２１２Ｌにより閲覧者の視線が遮られる場合におけるスクリーン部２の表示を模式的に表している。
【００４４】
また、上記した第２画像Ｐ２の表示領域Ａ５の縮小は、一例であってこれに限られるものではなく、適宜任意に変更可能である。例えば、本実施形態のように左右の立体部２１２Ｌ、２１２Ｒを有する場合には、第２画像Ｐ２の表示領域Ａ５の横の寸法のみを縮小させても良いし、また、平板部２１１を上下に挟むように立体部が設けられている場合には、第２画像Ｐ２の表示領域の縦の寸法のみを縮小させても良い（図示略）。
【００４５】
＜表示処理＞
次に、表示装置１００による表示処理について、図６〜図８を参照して説明する。
図６は、表示処理に係る動作の一例を示すフローチャートである。また、図７及び図８は、表示処理における表示態様の一例を模式的に示す図である。
【００４６】
図６に示すように、まず、表示装置１００の制御部１１は、スクリーン情報記憶部１３３から台座３に装着されているスクリーン部２を識別するための識別データを読み出して取得する（ステップＳ１）。続けて、制御部１１は、テーブル記憶部１３４から識別データにより識別されるスクリーン部２に対応する表示制御テーブル１３４ａを読み出して取得し、第２画像Ｐ２を表示する際にスクリーン部２の立体部に表示される第１画像Ｐ１を消去するか否かを設定する（ステップＳ２）。
なお、設定された第１画像Ｐ１を消去するか否かに係るデータは、メモリに一時的に格納される。
【００４７】
次に、制御部１１は、コンテンツ再生の開始指示が入力されたか否かを判断する（ステップＳ３）。具体的には、例えば、撮像部３３により撮像された画像から閲覧者が検出されて、その検出信号が制御部１１に入力されたり、閲覧者により操作部３１が操作されて、コンテンツ再生を開始させる操作信号が制御部１１に入力されると、制御部１１は、コンテンツ再生の開始指示が入力されたと判断する。
【００４８】
ステップＳ３にて、コンテンツ再生の開始指示が入力されていないと判断されると（ステップＳ３；ＮＯ）、制御部１１は、所定の時間間隔で当該判断処理を繰り返し実行する。
一方、ステップＳ３にて、コンテンツ再生の開始指示が入力されたと判断されると（ステップＳ３；ＹＥＳ）、制御部１１は、スクリーン部２及び音声出力部３２によりコンテンツを出力させる（ステップＳ４）。具体的に、制御部１１は、コンテンツ記憶部１３２から所定のコンテンツのコンテンツデータを読み出し、そのフレーム画像を順次プロジェクタ１２に出力してプロジェクタ１２によりスクリーン部２に投影させる。また、制御部１１は、読み出したコンテンツデータの音声データを音声出力部３２に出力し、コンテンツの音声を出力させる。
なお、コンテンツは、例えば、スクリーン部２の左右の立体部２１２Ｌ、２１２Ｒの形状に合わせたヒトを模した画像が商品を説明するものである。
【００４９】
次に、制御部１１は、閲覧者が検出されたか否かを判断する（ステップＳ５）。具体的には、制御部１１は、例えば、撮像部３３により撮像を行わせて画像を取得し、取得された画像に対する顔認識処理の結果に基づいて、閲覧者が検出されたか否かを判断する。
【００５０】
ステップＳ５にて、閲覧者が検出されていないと判断されると（ステップＳ５；ＮＯ）、制御部１１は、処理をステップＳ４に戻し、それ以降の各処理の実行を制御する。
一方、ステップＳ５にて、閲覧者が検出されたと判断されると（ステップＳ５；ＹＥＳ）、制御部１１は、閲覧者の目の位置Ｘ及び目の位置Ｙ並びに目間距離Ｄを取得することにより、閲覧者の位置を検出する（ステップＳ６）。具体的には、制御部１１は、撮像部３３により取得された画像における顔領域から目を抽出し、左右２つの目の位置の平均を算出して、目の位置Ｘ及び目の位置Ｙとして取得するとともに、左右２つの目の中心の距離を測定して、目間距離Ｄとして取得する。
【００５１】
続けて、制御部１１は、検出された閲覧者の位置に基づいて、当該閲覧者の視線がスクリーン部２により遮られるか否かを判断する（ステップＳ７）。具体的には、制御部１１は、表示制御テーブル１３４ａを参照して、検出された閲覧者の顔の目の位置Ｘ及び目の位置Ｙ並びに目間距離Ｄに基づいて、当該閲覧者の第２画像Ｐ２を閲覧する際の視線が左右の立体部２１２Ｌ、２１２Ｒにより遮られるか否かを判断する。
【００５２】
ステップＳ７にて、閲覧者の視線がスクリーン部２により遮られないと判断されると（ステップＳ７；ＮＯ）、制御部１１は、処理をステップＳ４に戻し、それ以降の各処理の実行を制御する。
一方、ステップＳ７にて、閲覧者の視線がスクリーン部２により遮られる判断されると（ステップＳ７；ＹＥＳ）、制御部１１は、ステップＳ２にて設定されたデータに基づいて、左右の立体部２１２Ｌ、２１２Ｒに表示される第１画像Ｐ１を消去するか否かを判断する（ステップＳ８）。すなわち、制御部１１は、左右の立体部２１２Ｌ、２１２Ｒのうち、閲覧者の視線を遮る一方の立体部（例えば、左の立体部２１２Ｌ等）と異なる他方の立体部（例えば、右の立体部２１２Ｒ等）の閲覧者側に露出された部分に表示される第１画像Ｐ１を消去するか否かを判断する。
【００５３】
ステップＳ８にて、第１画像Ｐ１を消去すると判断されると（ステップＳ８；ＹＥＳ）、制御部１１は、表示制御テーブル１３４ａを参照して、閲覧者の顔の目の位置Ｘ及び目の位置Ｙ並びに目間距離Ｄと対応付けられている立体部（例えば、右の立体部２１２Ｒ等）の閲覧者側に露出された部分に表示される第１画像Ｐ１を消去して、第２画像Ｐ２の表示領域（例えば、表示領域Ａ２等）として設定する（ステップＳ９；図７（ｂ）参照）。
続けて、制御部１１は、第２画像Ｐ２の表示領域（例えば、表示領域Ａ２等）を移動させるか否かを判断する（ステップＳ１０）。
【００５４】
ステップＳ１０にて、第２画像Ｐ２の表示領域（例えば、表示領域Ａ２等）を移動させないと判断されると（ステップＳ１０；ＮＯ）、制御部１１は、コンテンツ再生の終了指示が入力されたか否かを判断する（ステップＳ１１）。具体的には、例えば、撮像部３３により撮像された画像から閲覧者が検出されなくなったり、閲覧者により操作部３１が操作されて、コンテンツ再生を終了させる操作信号が制御部１１に入力されると、制御部１１は、コンテンツ再生の終了指示が入力されたと判断する。
【００５５】
ステップＳ１１にて、コンテンツ再生の終了指示が入力されていないと判断されると（ステップＳ１１；ＮＯ）、制御部１１は、処理をステップＳ４に戻し、それ以降の各処理の実行を制御する。
【００５６】
一方、ステップＳ１０にて、第２画像Ｐ２の表示領域（例えば、表示領域Ａ２等）を移動させると判断されると（ステップＳ１０；ＹＥＳ）、制御部１１は、平板部２１１における閲覧者の視線が左右の立体部２１２Ｌ、２１２Ｒにより遮られない位置に第２画像Ｐ２の表示領域Ａ４を移動させるように制御する（ステップＳ１２；図８（ａ）参照）。具体的には、制御部１１は、表示制御テーブル１３４ａを参照して、閲覧者の顔の目の位置Ｘ及び目の位置Ｙ並びに目間距離Ｄと対応付けられている移動の内容に基づいて、第２画像Ｐ２の表示領域Ａ４を所定方向に所定画素数分（例えば、５０画素分等）移動させるように制御する。
また、ステップＳ８にて、第１画像Ｐ１を消去させないと判断された場合（ステップＳ８；ＮＯ）にも、制御部１１は、処理をステップＳ１２に移行し、それ以降の各処理の実行を制御する。
【００５７】
その後、制御部１１は、第２画像Ｐ２の表示領域Ａ４を縮小させるか否かを判断する（ステップＳ１３）。
ここで、第２画像Ｐ２の表示領域を縮小させると判断されると（ステップＳ１３；ＹＥＳ）、制御部１１は、表示制御テーブル１３４ａを参照して、閲覧者の顔の目の位置Ｘ及び目の位置Ｙ並びに目間距離Ｄと対応付けられている第２画像Ｐ２の表示領域Ａ４の縮小率に基づいて、第２画像Ｐ２の表示領域Ａ５の縦横の寸法を縮小させる（ステップＳ１４；図８（ｂ）参照）。具体的には、制御部１１は、例えば、第２画像Ｐ２の表示領域Ａ５の一方の立体部（例えば、左の立体部２１２Ｌ等）側の端部を一方の立体部（例えば、左の立体部２１２Ｌ等）から離間させるように第２画像Ｐ２の表示領域Ａ５の縦横の寸法を縮小させる。
【００５８】
その後、制御部１１は、処理をステップＳ１１に移行し、それ以降の各処理の実行を制御する。
また、ステップＳ１３にて、第２画像Ｐ２の表示領域を縮小させないと判断された場合（ステップＳ１３；ＮＯ）にも、制御部１１は、処理をステップＳ１１に移行し、それ以降の各処理の実行を制御する。
【００５９】
ステップＳ１１にて、コンテンツ再生の終了指示が入力されたと判断されると（ステップＳ１１；ＹＥＳ）、制御部１１は、当該表示処理を終了する。
【００６０】
以上のように、本実施形態の表示装置１００によれば、スクリーン部２に表示される第１画像Ｐ１や第２画像Ｐ２の閲覧者の位置に基づいて、当該閲覧者の視線がスクリーン部２により遮られるか否かを判断し、当該判断結果に基づいて、スクリーン部２における第１画像Ｐ１や第２画像Ｐ２の表示を制御するので、閲覧者がスクリーン部２に対して正対していない場合等に、スクリーン部２に対する閲覧者の位置関係を考慮して視認性のより高い位置に第２画像Ｐ２を表示させることができることとなり、スクリーン部２に表示される第２画像Ｐ２の視認性を向上させることができる。特に、例えば、第２画像Ｐ２として商品の説明や案内を行うコンテンツを表示する場合に、当該第２画像Ｐ２の視認性を向上させることで、広告効果をより向上させることができる。
【００６１】
また、第２画像Ｐ２の表示領域をなす平板部２１１と、この平板部２１１よりも閲覧者側に突出するように立体的に形成された左右の立体部２１２Ｌ、２１２Ｒとを有するスクリーン部２であっても、閲覧者の位置に基づいて、当該閲覧者の平板部２１１に表示される第２画像Ｐを閲覧する際の視線が左右の立体部２１２Ｌ、２１２Ｒにより遮られるか否かを判断するので、当該判断結果に基づいて、スクリーン部２における第１画像Ｐ１や第２画像Ｐ２の表示を適正に制御することができ、視認性のより高い位置に第２画像Ｐ２を表示させることができる。
例えば、閲覧者の平板部２１１に表示される第２画像Ｐ２を閲覧する際の視線が左右の立体部２１２Ｌ、２１２Ｒにより遮られると判断された場合に、左右の立体部２１２Ｌ、２１２Ｒの閲覧者側に露出された部分を第２画像Ｐ２の表示領域（例えば、表示領域Ａ２等）とするように制御することができる。具体的には、閲覧者の視線が一方の立体部（例えば、左の立体部２１２Ｌ等）により遮られると判断された場合に、他方の立体部（例えば、右の立体部２１２Ｒ等）の閲覧者側に露出された部分を画像の表示領域とするように制御することができる。
また、閲覧者の平板部２１１に表示される第２画像Ｐ２を閲覧する際の視線が左右の立体部２１２Ｌ、２１２Ｒにより遮られると判断された場合に、平板部２１１における閲覧者の視線が左右の立体部２１２Ｌ、２１２Ｒにより遮られない位置に第２画像Ｐ２の表示領域Ａ４を移動させるように制御することができる。このとき、平板部２１１における第２画像Ｐ２の表示領域Ａ５の寸法を閲覧者の視線が左右の立体部２１２Ｌ、２１２Ｒにより遮られないように縮小させる制御を行うことで、第２画像Ｐ２の視認性をより向上させることができる。
【００６２】
なお、本発明は、上記実施形態に限定されることなく、本発明の趣旨を逸脱しない範囲において、種々の改良並びに設計の変更を行っても良い。
例えば、上記実施形態では、スクリーン部２として、平板部２１１を左右方向に挟むように左右の立体部２１２Ｌ、２１２Ｒが設けられたものを例示したが、一例であってこれに限られるものではなく、必ずしも二つの立体部が設けられている必要はない。例えば、左右の２１２Ｌ、２１２Ｒのうち、何れか一方の立体部（例えば、左の立体部２１２Ｌ）のみが設けられたスクリーン部１０２であっても良く、この場合には、制御部１１は、例えば、左の立体部２１２Ｌにより閲覧者の視線が遮られないように、すなわち、当該立体部から離間させるように第２画像Ｐ２の表示領域Ａ４を移動させても良い（図９（ａ）参照）。同様に、制御部１１は、例えば、第２画像Ｐ２の表示領域Ａ５の左の立体部２１２Ｌ側の端部を当該立体部から離間させるように第２画像Ｐ２の表示領域Ａ５の縦横の寸法を縮小させても良い（図９（ｂ）参照）。
【００６３】
また、上記実施形態では、スクリーン部２における画像の表示の制御内容として、立体部に表示される第１画像Ｐ１の消去、第２画像Ｐ２の表示領域Ａ４の移動、第２画像Ｐ２の表示領域Ａ５の縮小を例示したが、一例であってこれに限られるものではなく、適宜任意に変更可能であり、また、必ずしもこれらの全てを行う必要はない。
【００６４】
さらに、上記実施形態では、左右の立体部２１２Ｌ、２１２Ｒのうち、一方の立体部（例えば、左の立体部２１２Ｌ等）により閲覧者の視線が遮られると判断された場合に、他方の立体部（例えば、右の立体部２１２Ｒ）の閲覧者側に露出された部分（例えば、向かって左半身に対応する部分）に表示される第１画像Ｐ１を消去するようにしたが、表示制御の内容は一例であってこれに限られるものではなく、適宜任意に変更可能である。例えば、平板部２１１に表示される第２画像Ｐ２のうち、一方の立体部（例えば、左の立体部２１２Ｌ等）により閲覧者の視線が遮られて閲覧者が閲覧不可の部分を、一方の立体部（例えば、左の立体部２１２Ｌ等）の閲覧者側に露出された部分（例えば、向かって左半身に対応する部分）に表示するようにしても良い。また、第２画像Ｐ２の表示領域を確保するために第１画像Ｐ１を完全に消去するのではなく、例えば、アルファブレンディング等により第２画像Ｐ２と所定の比率で合成して表示するようにしても良い。
【００６５】
また、上記実施形態では、スクリーン部２として、左右の立体部２１２Ｌ、２１２Ｒの形状をヒト型としたものを例示して説明したが、一例であってこれに限られるものではなく、立体的に形成されていればスクリーン部２の形状は適宜任意に変更可能である。
【００６６】
さらに、閲覧者が複数検出された場合には、これら複数の閲覧者を代表する位置（例えば、目の位置Ｘ及び目の位置Ｙや目間距離Ｄ等）を特定し、特定された位置に基づいて、当該閲覧者の視線がスクリーン部２により遮られるか否かを判断するようにしても良い。
【００６７】
くわえて、上記実施形態にあっては、スクリーン部２に表示される画像の閲覧者の位置を検出する検出手段としての機能、検出された閲覧者の位置に基づいて、当該閲覧者の視線がスクリーン部２により画像を遮られるか否かを判断する判断手段としての機能及び判断手段による判断結果に基づいて、スクリーン部２における画像の表示を制御する表示制御手段としての機能を、制御部１１のＣＰＵによって所定のプログラム等が実行されることにより実現される構成としたが、これに限られるものではなく、例えば、所定のロジック回路から構成された検出部、判断部及び表示制御部（いずれも図示略）により実現される構成としても良い。
【００６８】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【００６９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
スクリーン部に表示される画像の閲覧者の位置を検出する検出手段と、
前記検出手段によって検出された前記閲覧者の位置に基づいて、当該閲覧者の視線が前記スクリーン部により前記画像を遮られるか否かを判断する判断手段と、
前記判断手段による判断結果に基づいて、前記スクリーン部における画像の表示を制御する表示制御手段と、
を備えたことを特徴とする表示装置。
＜請求項２＞
前記スクリーン部は、平板状に形成され、画像の表示領域をなす平板部と、前記平板部よりも前記閲覧者側に突出するように立体的に形成された立体部とを有し、
前記判断手段は、前記検出手段によって検出された前記閲覧者の位置に基づいて、当該閲覧者の前記平板部に表示される画像を閲覧する際の視線が前記立体部により遮られるか否かを判断することを特徴とする請求項１に記載の表示装置。
＜請求項３＞
前記表示制御手段は、更に、
前記判断手段によって前記閲覧者の前記平板部に表示される画像を閲覧する際の視線が前記立体部により遮られると判断された場合に、前記立体部の前記閲覧者側に露出された部分を画像の表示領域とするように制御することを特徴とする請求項２に記載の表示装置。
＜請求項４＞
前記スクリーン部は、前記平板部を所定方向に挟むように二つの前記立体部が配置されてなり、
前記表示制御手段は、更に、
前記判断手段によって前記閲覧者の前記平板部に表示される画像を閲覧する際の視線が一方の前記立体部により遮られると判断された場合に、他方の前記立体部の前記閲覧者側に露出された部分を画像の表示領域とするように制御することを特徴とする請求項３に記載の表示装置。
＜請求項５＞
前記表示制御手段は、更に、
前記判断手段によって前記閲覧者の前記平板部に表示される画像を閲覧する際の視線が前記立体部により遮られると判断された場合に、前記平板部における前記閲覧者の視線が前記立体部により遮られない位置に画像の表示領域を移動させるように制御することを特徴とする請求項２に記載の表示装置。
＜請求項６＞
前記表示制御手段は、更に、
前記判断手段によって前記閲覧者の前記平板部に表示される画像を閲覧する際の視線が前記立体部により遮られると判断された場合に、前記平板部における画像の表示領域の寸法を前記閲覧者の視線が前記立体部により遮られないように縮小させる制御を行うことを特徴とする請求項５に記載の表示装置。
＜請求項７＞
スクリーン部に表示される画像の閲覧者の位置を検出する工程と、
検出された前記閲覧者の位置に基づいて、当該閲覧者の視線が前記スクリーン部により前記画像を遮られるか否かを判断する工程と、
閲覧者の視線が前記スクリーン部により遮られるか否かの判断結果に基づいて、前記スクリーン部における画像の表示を制御する工程と、
を含むことを特徴とする表示方法。
＜請求項８＞
コンピュータを、
スクリーン部に表示される画像の閲覧者の位置を検出する検出手段、
前記検出手段によって検出された前記閲覧者の位置に基づいて、当該閲覧者の視線が前記スクリーン部により前記画像を遮られるか否かを判断する判断手段、
前記判断手段による判断結果に基づいて、前記スクリーン部における画像の表示を制御する表示制御手段、
として機能させることを特徴とするプログラム。
【符号の説明】
【００７０】
１００  表示装置
１      投影部
１１    制御部
１２    プロジェクタ
１３    記憶部
２、１０２  スクリーン部
２１１  平面部
２１２Ｌ、２１２Ｒ  左右の立体部
Ｐ１    第１画像
Ｐ２    第２画像
【図１】
2016090709.tif 000003
【図２】
2016090709.tif 000004
【図３】
2016090709.tif 000005
【図４】
2016090709.tif 000006
【図５】
2016090709.tif 000007
【図６】
2016090709.tif 000008
【図７】
2016090709.tif 000009
【図８】
2016090709.tif 000010
【図９】
2016090709.tif 000011